(57)【要約】【課題】操作対象機器の誤動作とリモコン装置及び操作対象機器の電力の消耗を抑制できるリモコン装置を提供する。【解決手段】リモコン装置１０Ａは、入力部１と動作指示信号を発信する信号発信部５とを備えている。リモコン装置１０Ａはさらに、信号発信部５が操作対象機器の信号受信部に対してまっすぐ向いているときの基準面からのリモコン装置１０Ａの傾き量を検出する傾き検出部２と、入力部１に入力されたデータ、及び傾き検出部２で検出された傾き量のデータとが入力され、入力部１へのキー入力があった場合に傾き量の値が所定の閾値以下か否かを判定し、傾き量の値が所定の閾値以下の場合に信号発信部５をオン制御し、傾き量の値が所定の閾値を超えた場合に信号発信部５をオフ制御する制御部３とを備えている。【選択図】図１
2011228761.tif 000002
【特許請求の範囲】
【請求項１】
操作者がキー入力を行う入力部と、
前記キー入力に基づいて操作対象機器の動作を指示する動作指示信号を発信する信号発信部とを備えたリモコン装置であって、
基準面に対する前記信号発信部の傾き量を検出する傾き検出部と、
前記キー入力があった場合に、前記傾き量が所定の閾値以下の場合に前記信号発信部をオン制御し、前記傾き量が前記所定の閾値を超えた場合に前記信号発信部をオフ制御する制御部と、を備えたリモコン装置。
【請求項２】
前記制御部と前記信号発信部との間に、前記信号発信部をオンオフするスイッチが配置されており、前記制御部が前記傾き量の値に応じて、当該スイッチのオンオフを制御する請求項１に記載のリモコン装置。
【請求項３】
前記制御部は、
前記入力部へのキー入力がない状態において、前記傾き検出部で検出された前記傾き量の値に基づいて当該傾き量の時間変化のデータを取得し、
所定時間内に前記傾き量の時間変化があった場合に、前記リモコン装置の使用が開始されたと判定し、前記傾き量の値が所定の閾値以下か否かの判定を実施し、当該判定結果に基づいて前記信号発信部のオンオフを制御し、
所定時間内に前記傾き量の時間変化がなかった場合に、前記リモコン装置が不使用状態にあると判定し、前記傾き量の値が所定の閾値以下か否かの判定をしない請求項１又は２に記載のリモコン装置。
【請求項４】
前記制御部は、前記入力部へのキー入力がない状態において、所定時間内に前記傾き量の時間変化がなかった場合に、前記傾き検出部による前記傾き量の検出頻度を下げるよう前記傾き検出部を制御する請求項３に記載のリモコン装置。
【請求項５】
前記動作指示信号が赤外線信号であり、前記信号発信部が赤外線発光部である請求項１〜４のいずれかに記載のリモコン装置。
【発明の詳細な説明】
【技術分野】
【０００１】
本発明は、リモコン装置に関するものである。
【背景技術】
【０００２】
現在の電化製品はワイヤレスのリモコン（リモートコントローラ）装置が付属しているものが多く、その操作のほとんどがリモコン装置でできるようになっている。具体的には、操作者がボタン押下等のキー操作をすることで、リモコン装置から発信される操作対象機器の動作を指示する動作指示信号を操作対象機器の信号受信部が受信し、操作対象機器が所定の動作をする。ここで、動作指示信号として赤外線信号を発信するリモコン装置が広く使用されている。
【０００３】
リモコン操作により送信される動作指示信号は、リモコン装置を操作対象機器に向けていない状態でも機器が受信してしまうことがあり、子供のいたずらなどの操作者の意図しない操作にも機器が反応して誤動作することがある。かかるケースでは、不必要な操作のために、リモコン装置及び操作対象機器の電力（電池）を消耗することになる。
操作者がリモコン装置のキーロック機構を利用することで、意図しないキー操作による機器の誤動作を回避できるが、操作者がキーロック操作とその解除を行う手間を要したり、操作者がキーロック操作をし忘れることもある。従って、リモコン装置自身が意図された操作か否かを判定して、意図されていない操作がなされた際に自動的に動作指示信号を発信しない機構を有することが好ましい。
【０００４】
特許文献１には、リモコン装置の傾き姿勢を検出する加速度センサを備え、加速度センサで取得されたデータに基づいて操作対象機器に動作指示信号を送信するリモコン装置が開示されている。その構成を図６に示す。
【０００５】
図６に示すリモコン装置２０には、操作者のキー操作によりデータが入力される入力部２１と、操作者のキー操作に基づいて赤外線信号が発信される赤外線発光部２５とが備えられている。
リモコン装置２０はさらに、
リモコン装置２０の傾き姿勢（傾き量、特許文献１の図５を参照）を検出する加速度センサ２２と、
あらかじめリモコン装置２０の傾き姿勢とリモコン命令との関係が記憶されており、加速度センサ２２により得られた、任意のタイミングにおけるリモコン装置２０の傾き姿勢の入力に応じて、これに対応するリモコン命令を出力する記憶部２８と、
加速度センサ２２に電力を供給する電源２７と、
加速度センサ２２への電力供給のオンオフを切り替えるスイッチ２６と、
各種制御を行う制御部２３とを備えている（段落００１６、図１）。
【０００６】
特許文献１では、加速度センサ２２はスイッチ２６がオン状態の時には、常にリモコン装置２０の傾き姿勢を検知し、その値に応じたパルス信号を制御部２３に送出する（段落００３５）。
制御部２３は、加速度センサ２２に電力が供給されている期間において、記憶部２８に記憶保持されている基準姿勢値Ａと、リモコン装置２０を傾けた時に出力された傾き姿勢値Ｂとの相対値であるＢ−Ａを算出し、その値が、「上・下」と「左・右」のそれぞれの方向において所定の基準値を超えたら、その方向に軸が傾けられたと判定する。そして、このように判定がなされると、市販のリモコンボタンの「上・下」及び「左・右」の各方向矢印ボタンが押下された場合と同様のリモコン信号を生成し、赤外線発光部２５から赤外線信号を発信する（段落００３６）。
【０００７】
リモコン装置２０の傾き量を検出する回路は、電源２７からの電力を加速度センサ２２に供給するか否かのオンオフを切替えるスイッチ２６と、スイッチ２６のオンオフ切替信号を出力する制御部２３とを備えることにより、リモコン装置２０の非操作時には電源入力をオフ状態とし、リモコン装置２０の任意のボタンが押下されると電源入力をオン状態とし、所定時間（例えば３分間）に亘りボタンの押下操作がなされない状態が継続すると電源入力をオフ状態として消費電力を節約する機能を有するものとなっている（段落００２２）。
【０００８】
特許文献１には、以下の旨の記載がある。
リモコン装置２０は、それを操作する人の癖などによって、無意識にある傾き姿勢で把持されると考えられる。リモコン装置２０の傾き量を検出する回路は、リモコン装置２０の電源入力がオン状態とされた時点において加速度センサ２２により検出されたリモコン装置２０の傾き姿勢を、電源入力がオフ状態となるまで基準姿勢として記憶部２８に記憶保持し、この記憶保持された基準姿勢と、その後の時点において加速度センサ２２により検出された、リモコン装置２０の傾き姿勢との差分に基づき、その後の時点において検出された傾き姿勢が有効な操作によるものか否かを制御部２３により判定し、この判定が有効な操作によるものと判定した場合にのみ、制御部２３により、この傾き姿勢に応じた所定のリモコン信号を記憶部２８から読み出すように構成されている（段落００２３）。
したがって、操作者が意識してリモコン装置２０を傾けた場合にのみ、所定のリモコン信号送信操作をなすことが可能となり、リモコン装置２０を把持する操作者の癖により、あるいはリモコン装置２０を不用意に把持したために、予期しないリモコン信号送信操作がなされる、というような不都合を防止することができる（段落００２４）。
【先行技術文献】
【特許文献】
【０００９】
【特許文献１】特開2004-236034号公報
【特許文献２】特開2007-151152号公報
【特許文献３】特開2007-235703号公報
【特許文献４】特開2008-085603号公報
【発明の概要】
【発明が解決しようとする課題】
【００１０】
特許文献１に記載のリモコン装置では、ボタンを押下したときに傾き検出回路の電源がオンとなるため、操作者の予期しないリモコン操作が行われたときにも傾き検出回路がオンとなり、キー操作をキャンセルすることはできない。
「傾き検出回路の電源入力がオン状態とされた時点において加速度センサにより検出されたリモコン装置の傾き姿勢を、電源入力がオフ状態となるまで基準姿勢として記憶部に記憶保持する」とあるが、その間の操作が操作者の意図しない操作であった場合、基準姿勢自体がおかしなものとなる。操作者や操作環境によって基準姿勢がその都度変わり、「基準姿勢」が本当に基準として適切なものか分からず、操作者の意図した操作か否かを適切に検出することは難しい。
したがって、特許文献１に記載のリモコン装置では、操作者の意図しない操作による機器の誤動作、及び操作者の意図しない操作によるリモコン装置及び操作対象機器の電力の消耗を解消することはできない。
【課題を解決するための手段】
【００１１】
本発明のリモコン装置は、
操作者がキー入力を行う入力部と、
前記キー入力に基づいて操作対象機器の動作を指示する動作指示信号を発信する信号発信部とを備えたリモコン装置であって、
基準面に対する前記信号発信部の傾き量を検出する傾き検出部と、
前記キー入力があった場合に、前記傾き量が所定の閾値以下の場合に前記信号発信部をオン制御し、前記傾き量が前記所定の閾値を超えた場合に前記信号発信部をオフ制御する制御部と、を備えたものである。
【００１２】
本明細書で言う「傾き量」は、リモコン装置の傾きに関する任意のファクターを示し、重力の向きと垂直な面内における直交する２軸方向の傾き量、及び傾き角等が挙げられる。
【００１３】
上記構成の本発明のリモコン装置では、制御部が傾き検出部で検出された傾き量の値に基づいて信号発信部のオンオフを制御するので、リモコン装置が不自然な傾き量の時に動作指示信号の発信を禁止し、操作者が意図しない動作指示信号の発信を抑制できる。
本発明のリモコン装置では、操作者が意図しない動作指示信号の発信を抑制できるので、操作対象機器の誤動作を防ぐことができ、リモコン装置及び操作対象機器の電力の消耗を抑えることができる。
本発明では、操作者がキーロック操作をしなくても、リモコン装置自身が意図された操作か否かを判定して、意図されていない操作がなされた際に自動的に動作指示信号を発信しない機構を有しているので、操作者にとって利便性が良い。
【発明の効果】
【００１４】
本発明によれば、リモコン装置自身が意図された操作か否かを判定し、意図されていない操作がなされた際には動作指示信号を発信しない機構を有し、意図されていない操作による操作対象機器の誤動作とリモコン装置及び操作対象機器の電力の消耗を抑制できるリモコン装置を提供することができる。
【図面の簡単な説明】
【００１５】
【図１】本発明に係る第１実施形態のリモコン装置の構成図である。
【図２】図１のリモコン装置の機能を説明するフローチャートである。
【図３】図１のリモコン装置の傾き角の説明図である。
【図４】本発明に係る第２実施形態のリモコン装置の構成図である。
【図５】図４のリモコン装置の機能を説明するフローチャートである。
【図６】従来のリモコン装置の構成図である。
【発明を実施するための形態】
【００１６】
「第１実施形態」
図面を参照して、本発明に係る第１実施形態のリモコン装置について説明する。
図１に示すように、本実施形態のリモコン装置１０Ａには、操作者のキー操作によりリモコン装置１０Ａから発信される赤外線信号（動作指示信号）に対応した入力信号が入力される入力部１と、入力信号に基づいて赤外線信号を発信する赤外線発光部（信号発信部）５と、赤外線発光部５の傾き量を検出する１つ又は複数のセンサからなる傾き検出部２と、各種制御を行う制御回路からなる制御部３と、が備えられている。図１中、符号６は筺体を示している。
【００１７】
図３に示すように、傾き検出部２はリモコン装置１０Ａの傾き角αを検出する１つ又は複数のセンサである。傾き角αは、リモコン装置１０Ａが操作対象機器の赤外線受光部（信号受信部）に対してまっすぐ向いているときの基準面からの傾き角である。
図３では例として、リモコン装置１０Ａが操作対象機器の赤外線受光部に対してまっすぐ向いているときの基準面が水平面であり、傾き角αが基準面に対するリモコン装置１０Ａにおいて最も面積の大きい主面の傾き角である場合について図示してある。基準面及び傾き角は、操作対象機器の種類、操作対象機器とリモコン装置との位置関係、及びリモコン装置の形態等に応じて決定される。図３中、実線が基準面を示している。
【００１８】
傾き角αを検出可能なセンサとしては、加速度センサ及びジャイロセンサ等が挙げられる。加速度センサは、加速度の向きを決定する際に重力の向きを基準としており、傾き角を検出するセンサとして用いることができる。加速度センサは、重力の向きと垂直な面内における直交する２軸方向の傾き量を検出し、それにより傾き角を検出することができる。ジャイロセンサは、物体が回転したときの相対角度や角速度を検出することができる。
【００１９】
図６に示したように、特許文献１では、傾き検出センサである加速度センサのオンオフを制御するスイッチが設けられ、制御部によって加速度センサのオンオフを制御するスイッチが制御される構成であったのに対して、本実施形態では制御部３と赤外線発光部５との間に赤外線発光部５をオンオフするスイッチ４が設けられ、制御部３によってスイッチ４が制御されるようになっている。
【００２０】
制御部３には、入力部１に入力されたデータと、傾き検出部２で検出されたデータとが入力される。制御部３はこれらデータに基づいて、リモコン装置１０Ａの操作状態を判定し、赤外線発光部５のオンオフを制御する。
通常、操作者がリモコン装置１０Ａで機器を操作するときには、リモコン装置１０Ａを機器側に向ける。この時の傾き角αを検出することで、操作者が機器にリモコン装置１０Ａを向けているかどうかを判定できる。この判定結果を基に信号発信のオンオフを制御することで、不要な赤外線信号の発信を抑制することができる。
【００２１】
制御部３は、入力部１へのキー入力があった場合に、傾き角αの値が所定の閾値以下か否かを判定する。制御部３は、傾き角αが閾値以下であれば、操作者のキー操作が意図されたものと判定してスイッチ４をオン制御し、傾き角αが閾値超であれば、子供のいたずら等の操作者の意図しないキー操作と判定してスイッチ４をオフ制御する。
傾き角αの閾値は操作対象機器の種類や設置位置等に応じて設定される。傾き角αの閾値は例えば、１５°に設定することで、操作者のキー操作が意図されたものか否かを良好に検出できる。
【００２２】
図２を参照して、上記リモコン装置１０Ａの処理フローについて説明する。
ステップＳ１において、リモコン装置１０Ａの制御部３はリモコン装置１０Ａのキー入力の有無を検出し、制御部３がリモコン装置１０Ａのキー入力を検出すると、処理はステップＳ２へ進む。
【００２３】
ステップＳ２において、制御部３は傾き検出部２が検出した値αを読み込み、この値に基づいてリモコン装置１０Ａの操作状態を判定する。傾き検出部２から出力される値αは、図３で示した傾き角αである。制御部３は、傾き角αが閾値以下か否かを判定する。
傾き角αが閾値以下であれば、制御部３は操作者のキー操作が意図されたものと判定し、処理は次のステップＳ３へ進む。ステップＳ３において、制御部３はスイッチ４をオン制御する。この制御により、次のステップＳ４において、キー入力されたデータに対応する赤外線信号が赤外線発光部５から発信される。
ステップＳ２において、傾き角αが閾値超であれば、制御部３は子供のいたずら等の操作者の意図しないキー操作と判定し、処理はステップＳ５に進む。ステップＳ５において、赤外線信号は赤外線発光部５から発信されないよう、制御部３はスイッチ４をオフ制御する。
【００２４】
以上のように、本実施形態では、制御部３が傾き検出部２で検出された傾き角の値αに基づいて、スイッチ４のオンオフを制御するので、リモコン装置１０Ａが不自然な傾き角の時に赤外線信号（動作指示信号）の発信を禁止し、操作者が意図しない赤外線信号（動作指示信号）の発信を抑制できる。
本実施形態のリモコン装置１０Ａでは、操作者が意図しない赤外線信号（動作指示信号）の発信を抑制できるので、操作対象機器の誤動作を防ぐことができ、リモコン装置１０Ａ及び操作対象機器の電力の消耗を抑えることができる。
本実施形態では、操作者がキーロック操作をしなくても、リモコン装置１０Ａ自身が意図された操作か否かを判定して、意図されていない操作がなされた際に自動的に赤外線信号（動作指示信号）を発信しない機構を有しているので、操作者にとって利便性が良い。
【００２５】
「第２実施形態」
図面を参照して、本発明に係る第２実施形態のリモコン装置について説明する。第１実施形態と同じ構成要素については同じ参照符号を付して、説明を省略する。
図４に示すように、本実施形態のリモコン装置１０Ｂには、第１実施形態と同様、リモコン装置１０Ｂから発信される赤外線信号（動作指示信号）に対応した入力信号が入力される入力部１と、入力信号に基づいて赤外線信号を発信する赤外線発光部（信号発信部）５と、赤外線発光部５の傾き量を検出する１つ又は複数のセンサからなる傾き検出部２と、各種制御を行う制御回路からなる制御部１３と、が備えられている。
【００２６】
本実施形態の基本構成は第１実施形態と同様である。
第１実施形態では、制御部３には入力部１に入力されたデータと、傾き検出部２で検出されたデータとが入力され、制御部３はこれらデータに基づいて、赤外線発光部５をオンオフするスイッチ４を制御した。
本実施形態では、制御部１３は、第１実施形態の制御部３の機能に加えてさらに傾き検出部２で検出されたデータの時間変化を検出し、これによってリモコン装置１０Ｂの振動を検知する。操作者がキー入力を開始する前に、操作者はリモコン装置１０Ｂを手に取る。制御部１３は、このときの傾き角αの時間変化を検出することで、リモコン装置１０Ｂの振動を検出し、操作者がリモコン装置１０Ｂを手に取ったことを検出する。
【００２７】
すなわち、制御部１３は、入力部１へのキー入力がない状態において、傾き検出部２で検出された傾き角αの値に基づいて、傾き角αの時間変化のデータを取得し、所定時間内に傾き角αの変化があった場合に、リモコン装置１０Ｂの使用が開始されたと判定し、傾き角αの値が所定の閾値以下か否かの判定を実施し、この判定結果に基づいて赤外線発光部５のオンオフを制御する。
【００２８】
リモコン装置１０Ｂの振動は、傾き検出部２から出力される値αが所定期間（例えば1秒間)の間に変化するかどうかを基に判定される。制御部１３は、リモコン装置１０Ｂの振動を検知した場合に、操作者がリモコン装置１０Ｂを手に持ったと判定する。
制御部１３は、最終のキー操作から所定期間（例えば１分間）、傾き検出部２から出力される値αが変化しない場合、リモコン装置１０Ｂが静止状態（不使用状態）にあると判定する。
傾き角αの値が所定の閾値以下か否かの判定、及びその判定結果に基づく赤外線発光部５のオンオフ制御は第１実施形態と同様である。
【００２９】
図５を参照して、上記リモコン装置１０Ｂの処理フローについて説明する。
ステップＳ１１において、制御部１３は傾き検出部２から出力される傾き角αの値を取得し、所定時間内の傾き角αの時間変化のデータを取得する。このデータに基づいて、制御部１３はリモコン装置１０Ｂの振動の有無を検出する。
制御部１３は、リモコン装置１０Ｂの振動を検知したら、操作者がリモコン装置１０Ｂを手に持ったと判定し、処理は次のステップＳ１２に進む。
【００３０】
ステップＳ１２において、制御部１３は傾き検出部２が検出した値αを読み込み、この値に基づいてリモコン装置１０Ｂの操作状態を判定する。制御部３は、傾き角αが閾値以下か否かを判定する。
傾き角αが閾値以下であれば、制御部１３は操作者のキー操作が意図されたものと判定し、処理は次のステップＳ１４へ進む。ステップＳ１４において、制御部１３はスイッチ４をオン制御する。この制御により、次のステップＳ１５において、キー入力されたデータに対応する赤外線信号が赤外線発光部５から発信される。
ステップＳ１３において、傾き角αが閾値超であれば、制御部１３は子供のいたずら等の操作者の意図しないキー操作と判定し、処理はステップＳ１６に進む。ステップＳ１６において、赤外線信号は赤外線発光部５から発信されないよう、制御部３はスイッチ４をオフ制御する。
ステップＳ１２〜Ｓ１６は第１実施形態のステップＳ１〜５と同様である。
【００３１】
ステップＳ１１において、所定時間内に傾き角の時間変化がなく、制御部１３がリモコン装置１０Ｂの振動を検知せず、リモコン装置１０Ｂが不使用状態にあると判定した場合、制御部１３は傾き角αの値が所定の閾値以下か否かの判定をしない。その代わりに、制御部１３は、ステップＳ１７において、最終のキー操作から所定時間（例えば１分間）が経過しているか否かを判定する。最終のキー操作から所定時間（例えば１分間）が経過していると判定されたら、制御部１３は、ステップＳ１８において、傾き検出部２による傾き角αの検出頻度を下げるよう傾き検出部２を制御する。かかる制御により、消費電力の低減を図ることができる。
本実施形態では、不使用状態においても常に傾き角αの検出処理を行う必要があるが、不使用状態と判定された際にはその検出処理の頻度を下げることで、消費電力の低減を図ることができる。
【００３２】
以上のように、本実施形態においても、制御部１３が傾き検出部２で検出された傾き角の値αに基づいて、スイッチ４のオンオフを制御するので、リモコン装置１０Ｂが不自然な傾き角の時に赤外線信号（動作指示信号）の発信を禁止し、操作者が意図しない赤外線信号（動作指示信号）の発信を抑制できる。
本実施形態においても、操作者が意図しない赤外線信号（動作指示信号）の発信を抑制できるので、操作対象機器の誤動作を防ぐことができ、リモコン装置１０Ｂ及び操作対象機器の電力の消耗を抑えることができる。
【００３３】
本実施形態ではさらに、キー操作のない状態におけるリモコン装置１０Ｂの傾き角αの時間変化（リモコン装置１０Ｂの振動）と、キー操作時のリモコン装置１０Ｂの傾き角αの２種類のデータから、リモコン装置１０Ｂの操作状態を判定するので、リモコン装置１０Ｂの状態判定の精度を上げることができる。そのため、本実施形態では、リモコン装置１０Ｂのキー操作が意図されたものか否かをより高精度に検出し、赤外線信号（動作指示信号）の発信／不発信の制御をより高精度に実施できる。
【００３４】
本実施形態では、操作者がキーロック操作をしなくても、リモコン装置１０Ｂ自身が意図された操作か否かを判定して、意図されていない操作がなされた際に自動的に赤外線信号（動作指示信号）を発信しない機構を有しているので、操作者にとって利便性が良い。
【００３５】
本発明の関連出願としては、「背景技術」の項に挙げた特許文献２〜４がある。
特許文献２には、リモコン装置の傾き角を検出し、その値に基づいて動作指示信号の生成・不生成を制御するリモコン装置が記載されている。
特許文献２の段落００２２、００２３には、操作者が、操作子（１２）を押下した状態を維持しつつ、筐体（１１）を、Ｙ軸を中心として時計回りに傾けると、傾斜センサ（１３）からはその傾きに応じた傾斜信号が出力され、傾斜信号の示す筐体の傾きが閾値を超えた場合に限り、制御部（１５）は、動作指示信号を生成することが記載されている。
特許文献２では、筐体（１１）が、閾値を超えた傾きとなるように移動した場合に限り、動作指示信号が生成されるように制御している。こうすることで、例えば手の震えなどに起因した傾きをも反映した動作指示信号が生成される結果、操作者の意に反した操作が起こらないようにしている。
【００３６】
特許文献２に記載のリモコン装置では、子供のいたずら等によって不自然な傾き角となる状況を検出できない。かかる状況でも、これを検出できずに動作指示信号を生成するため、機器の誤動作防止や省電力やの効果は得られない。
しかも、特許文献２では、リモコン装置で何らかの操作をするためには、操作子を押下しながら傾きが閾値を超えるまで筐体を傾ける必要がある。逆に言えば、所望の動作を行うためには、傾きが閾値を超えるまで操作子を押し続ける必要がある。かかる操作は、操作者にとって利便性が良くない。
特許文献２では、操作子の押下中に常に傾き角の値を処理する必要がある。また、操作子の操作時間は必然的に長くなるため、センサの検出量と制御部のデータ処理量が多くなり、消費電力が多くなる。
【００３７】
特許文献３には、リモコン装置の操作子の数を減らすことを目的として、同じ操作子に複数の機能を割り当てて、リモコン装置の傾きに応じて操作子と動作指示信号の対応を変化させるようにしたリモコン装置が記載されている。
特許文献３の段落００１３に「操作モードとして、チャンネル切替えモード、再生モード、及び文字入力モードの３つの操作モードが含まれることが好ましい。」とあるように、リモコン装置の傾きに応じて操作モードを変更するようにしている。段落００２３に記載されているように、特許文献３では、左右の傾きを常に検出することで、操作モードを切り替えている。
【００３８】
特許文献３に記載のリモコン装置では、傾き角によって操作状態を検出するものではなく、子供のいたずら等によって不自然な傾き角となる状況を検出できない。かかる状況でも、これを検出できずに何らかの動作指示信号を生成するため、機器の誤動作防止や省電力の効果は得られない。また、特許文献３では、制御部は常に傾き角の値を取得してデータを処理しなければならないため、センサの検出量と制御部のデータ処理量が多く、消費電力が多くなる。
【００３９】
特許文献４の００２４等には、リモコン装置の左右の傾きによって、テレビジョン受信装置の左右２画面表示の画面選択を行う態様が記載されている。操作者がリモコン装置を把持した状態でわずかに傾いた場合には、操作者の意志による傾きではないと判定され、ある程度の角度を超える傾きが検出された場合に初めて有意の傾きと判定され、画面選択が行われるようになっている。
【００４０】
特許文献４に記載のリモコン装置では、子供のいたずら等によって不自然な傾き角となる状況を検出できない。かかる状況でも、これを検出できずに動作指示信号を生成するため、機器の誤動作防止や省電力の効果は得られない。また、特許文献４では、制御部は常に傾き角の値を取得してデータを処理しなければならないため、センサの検出量と制御部のデータ処理量が多く、消費電力が多くなる。
【００４１】
以上のように、特許文献２〜４ではいずれも、意図されていない操作による操作対象機器の誤動作とリモコン装置及び操作対象機器の電力の消耗を抑制するという本願発明の効果は得られない。
【００４２】
本発明によれば、リモコン装置自身が意図された操作か否かを判定し、意図されていない操作がなされた際には動作指示信号を発信しない機構を有し、意図されていない操作による操作対象機器の誤動作とリモコン装置及び操作対象機器の電力の消耗を抑制できるリモコン装置を提供することができる。
【００４３】
「設計変更」
本発明は上記実施形態に限らず、本発明の趣旨を逸脱しない範囲内において、設計変更可能である。
【符号の説明】
【００４４】
１０Ａ、１０Ｂ    リモコン装置
１  入力部
２  傾き検出部
３、１３  制御部
４  スイッチ
５  赤外線発光部（信号発信部）
α  傾き角
【図１】
2011228761.tif 000003
【図２】
2011228761.tif 000004
【図３】
2011228761.tif 000005
【図４】
2011228761.tif 000006
【図５】
2011228761.tif 000007
【図６】
2011228761.tif 000008